(57)【要約】【課題】交換器の特徴をサポートし、多数の外部ライン用への容易な拡張を可能にする、住宅又は他の建物内の単一の電話ライン上の、改良された電話システム（１０）を開示する。【解決手段】多数の音声チャンネルを搬送する、ローカルデータ通信ネットワーク用媒体として現在の電話配線が使用される。各出口（８８ａ、１０５ａ）では、１つ以上の音声チャンネルが標準電話ラインインターフエースに変換される。該データ通信ネットワークから分離された該スペクトラムのより低いバンドを使用することによりライフライン機能が実現され、そして該出口内の専用コネクター（９１）がこのバンドへのアクセスを提供する。外部電話フイーダー（８６ａ、８６ｂ）は該家庭内データ通信ネットワークへインターフエースするためにデジタル形式に変換される。【選択図】図７
2010104038.tif 000002
【特許請求の範囲】
【請求項１】
建物におけるバストポロジーの配線を介して伝送される少なくとも１つの時間領域多重化デジタル音声チャンネルに電話デバイスを接続するための装置であって、
前記配線は、少なくとも２本の導体を有しており、
前記装置は、
前記配線に接続可能なローカルエリアネットワークモデムであるとともに、前記建物における前記バストポロジーの配線を介して少なくとも１つの他のモデムと通信するように動作するローカルエリアネットワークモデムと、
前記ローカルエリアネットワークモデムに接続されている選択手段であるとともに、第１音声チャンネルを通過させように動作する選択手段と、
前記選択手段に接続されている加入者ラインインターフエースであるとともに、前記第１音声チャンネルを第１アナロブ電話信号に変換するように動作する加入者ラインインターフエースと、
前記加入者ラインインターフエースに接続されている第１電話コネクターであるとともに、電話デバイスを前記第１アナログ電話信号につなぐために前記電話デバイスに接続可能である第１電話コネクターと
を具備することを特徴とする装置。
【請求項２】
前記配線は、建物の壁に予め存在する配線であり、
前記装置は、前記配線を介して建物において前記装置と互換性のある他の装置と通信するように動作することを特徴とする請求項１に記載の装置。
【請求項３】
前記配線は、サービス信号を並行に伝送するように接続されていることを特徴とする請求項２に記載の装置。
【請求項４】
前記配線は、電話配線であることを特徴とする請求項３に記載の装置。
【請求項５】
前記装置は、壁における空洞の出口に取り付けられる寸法に作られていることを特徴とする請求項２に記載の装置。
【請求項６】
前記装置は、少なくとも一部が出口の中に収容されることを特徴とする請求項２に記載の装置。
【請求項７】
前記配線は、電話バンドで周波数領域多重化第２アナログ電話信号を並行に伝送するように接続されており、
前記装置は、
前記配線に接続可能な周波数選択手段であるとともに、前記第２アナログ電話信号を通過させるように動作する周波数選択手段と、
電話デバイスを前記第２アナログ電話信号につなげるために前記周波数選択手段に接続された第２電話コネクターとをさらに具備することを特徴とする請求項１に記載の装置。
【請求項８】
前記多重化デジタル音声チャンネルは、パルス符号変調（ＰＣＭ）信号を伝送することを特徴とする請求項１に記載の装置。
【請求項９】
前記配線は、データ信号をさらに伝送するように接続されており、
前記装置は、前記データ信号をデータユニットにつなげるように動作するデータコネクターをさらに具備することを特徴とする請求項１に記載の装置。
【請求項１０】
線の対に接続するとともにバストポロジーを形成するために、連続する前記線の対と複数の出口とを有する建物における配線システムに使用されるキットであって、
前記線の対は、少なくとも１つの時間領域多重化デジタル音声チャンネルを伝送するものであり、
前記キットは、請求項１に記載された装置を少なくとも２つ具備し、
前記装置の全てはモデムを有し、
前記モデムのそれぞれは、他の装置の他のモデムの全てと通信する動作をすることを特徴とするキット。
【請求項１１】
壁に開けられた出口に前記装置を機械的に結合させながら電気的に分離可能にする手段をさらに具備することを特徴とする請求項１に記載の装置。
【請求項１２】
アナログ電話サービス信号を伝送するためのアナログ電話サービス接続を使用するために、アナログ電話セットに接続可能な装置であるとともに、少なくとも２本の導体を有する配線を介して伝送される少なくとも１つの時間領域多重化デジタル音声チャンネルに少なくとも１つのアナログ電話サービス信号を乗せる装置であって、
前記装置は、
少なくとも１つの前記アナログ電話サービス接続に接続可能な少なくとも１つの交換器ラインインターフエースであるとともに、少なくとも１つの前記アナログ電話サービス信号をデジタルサービス信号に変換する動作をする少なくとも１つの交換器ラインインターフエースと、
少なくとも１つの前記交換器ラインインターフエースに接続されているモデムであるとともに、前記配線を介して前記デジタルサービス信号を伝送する動作をするモデムとを具備することを特徴とする装置。
【請求項１３】
前記装置は、前記配線を介して伝送される複数の時間領域多重化デジタル音声チャンネルに複数のサービス信号を乗せるために使用され、
前記装置は、前記モデムに接続されている選択手段であるとともに、少なくとも１つの前記交換器ラインインターフエースに接続されている選択手段であって、前記配線を介して伝送される前記複数のデジタル音声チャンネルを前記デジタルサービスチャンネルに選択的に接続する動作をする選択手段さらに具備することを特徴とする請求項１２に記載の装置。
【請求項１４】
前記配線は、建物に予め存在する配線であり、
前記モデムは、前記予め存在する配線を介して建物におけるモデムと通信する動作をすることを特徴とする請求項１２に記載の装置。
【請求項１５】
前記配線は、サービス信号を並行に伝送するように接続されていることを特徴とする請求項１４に記載の装置。
【請求項１６】
前記配線は、電話配線であることを特徴とする請求項１５に記載の装置。
【請求項１７】
前記装置は、壁における空洞の出口に取り付けられる寸法に作られていることを特徴とする請求項１４に記載の装置。
【請求項１８】
前記装置は、少なくとも一部が出口の中に収容されることを特徴とする請求項１４に記載の装置。
【請求項１９】
前記配線は、電話バンドで周波数領域多重化アナログ電話信号を並行に伝送するように接続されており、
前記装置は、
アナログ電話サービスに接続する接続手段と、
前記接続手段に接続されている周波数選択手段であるとともに、前記配線に接続可能であって、前記アナログ電話信号を通過させるように動作する周波数選択手段と
をさらに具備することを特徴とする請求項１２に記載の装置。
【請求項２０】
前記多重化デジタル音声チャンネルは、パルス符号変調（ＰＣＭ）信号を伝送することを特徴とする請求項１２に記載の装置。
【請求項２１】
前記配線は、データ信号をさらに伝送するように接続されており、
前記装置は、前記データ信号をデータユニットにつなげるように動作するデータコネクターをさらに具備することを特徴とする請求項１２に記載の装置。
【請求項２２】
前記モデムは、前記配線を介して少なくとも１つの他のモデムと通信する動作をすることを特徴とする請求項１２に記載の装置。
【発明の詳細な説明】
【技術分野】
【０００１】
［発明の分野］
本発明は電話通信ネットワークの分野に関し、特に建物内の電話セットの単一電話ライン（ｓｉｎｇｌｅ ｔｅｌｅｐｈｏｎｅ ｌｉｎｅ）上でのネットワーク化に関する。
【背景技術】
【０００２】
［発明の背景］
家庭内での拡張された電話通信能力のニーヅが増大している。このニーヅは２つの主要な要因、すなわち追加的外部ラインの使用の増加と、インターコムシステム（ｉｎｔｅｒｃｏｍ）の様な、家庭内での交換機能を望むこと（ｄｅｓｉｒａｂｉｌｉｔｙ ｏｆ ｅｘｃｈａｎｇｅ ｆｕｎｃｔｉｏｎａｌｉｔｙ ｗｉｔｈｉｎ ｔｈｅ ｈｏｍｅ）と、によりドライブされている。
【０００３】
［電話配線］
家庭内電話サービス（ｉｎ−ｈｏｍｅ ｔｅｌｅｐｈｏｎｅ ｓｅｒｖｉｃｅ）は通常２又は４本の線（ｗｉｒｅｓ）を使用し、電話セットが接続される電話出口（ｔｅｌｅｐｈｏｎｅ ｏｕｔｌｅｔｓ）を経由してアクセスされる。図１は、住宅電話ライン（ｒｅｓｉｄｅｎｔｉａｌ ｔｅｌｅｐｈｏｎｅ ｌｉｎｅ）５と配線された、住宅又は他の建物用の従来技術の電話システムの配線構成を示す。該住宅電話ライン５は接続箱（ｊｕｎｃｔｉｏｎ−ｂｏｘ）１６に接続する１つの線の対（ｓｉｎｇｌｅ ｗｉｒｅ ｐａｉｒ）から成り、該接続箱は今度は、１つの電話からもう１つへ電話通信（ｔｅｌｅｐｈｏｎｙ）を確立し、可能にする公共交換器（ｐｕｂｌｉｃ ｓｗｉｔｃｈ）１９で成端する（ｔｅｒｍｉｎａｔｉｎｇ）ケーブル１７ａを経由して公共電話網（Ｐｕｂｌｉｃ Ｓｗｉｔｃｈｅｄ Ｔｅｌｅｐｈｏｎｅ Ｎｅｔｗｏｒｋ）｛ピーエステーエヌ（ＰＳＴＮ）｝１８に接続される。用語”アナログ電話通信（ａｎａｌｏｇ ｔｅｌｅｐｈｏｎｙ）”はここでは時には”ピーオーテーエス（ＰＯＴＳ）”｛”普通の旧型電話サービス（ｐｌａｉｎ ｏｌｄ ｔｅｌｅｐｈｏｎｅ ｓｅｒｖｉｃｅ）”｝として参照される、典型的に３ｋＨｚ以下で従来型のアナログの低い周波数のオーデイオ音声信号（ｌｏｗ−ｆｒｅｑｕｅｎｃｙ ａｕｄｉｏ ｖｏｉｃｅ ｓｉｇｎａｌ）を示すが、用語”電話通信（ｔｅｌｅｐｈｏｎｙ）”は一般にサービス総合デジタル網（Ｉｎｔｅｇｒａｔｅｄ Ｓｅｒｖｉｃｅ Ｄｉｇｉｔａｌ Ｎｅｔｗｏｒｋ）｛アイエスデーエヌ（ＩＳＤＮ）｝の様なデジタルサービスを含む、何等かの種類の電話サービスを示す。用語”高い周波数（ｈｉｇｈ−ｆｒｅｑｕｅｎｃｙ）”はここでは、データ用に使用されるそれの様な、かかるアナログ電話通信オーデイオ周波数を実質的に上回る何等かの周波数を示す。アイエスデーエヌは典型的に１００ｋＨｚを超えない周波数を使用する（典型的には該エネルギーは４０ｋＨｚ付近に集中される）。用語”電話ライン（ｔｅｌｅｐｈｏｎｅ ｌｉｎｅ）”はここではアナログ電話通信を搬送し、配信するよう第１に意図された導電ラインを示すが、建物内に予め存在し、アナログ電話通信サービスを現在提供する様な導電ラインを含んでおり、但しそれに限定はされない。用語”電話デバイス（ｔｅｌｅｐｈｏｎｅ ｄｅｖｉｃｅ）”は、限定されないが、ここではフアックス、音声モデム（ｖｏｉｃｅ−ｍｏｄｅｍ）、その他の様な電話通信信号を使用する何等かのデバイス（ｄｅｖｉｃｅ）のみならず、電話通信（アナログ電話通信及びアイエスデーエヌの両者を含む）用の何等かの装置（ａｐｐａｒａｔｕｓ）を示す。
【０００４】
接続箱１６は家庭内回路（ｉｎ−ｈｏｍｅ ｃｉｒｃｕｉｔｒｙ）を該ピーエステーエヌから分離するため使用され、該家庭内の新しい配線用のみならずトラブルシューテイング用のテスト設備として使用される。複数の電話１３ａ、１３ｂは複数の電話出口（ｔｅｌｅｐｈｏｎｅ ｏｕｔｌｅｔｓ）１１ａ、１１ｂ、１１ｃ、そして１１ｄを経由して電話ライン５に接続される。各出口（ｏｕｔｌｅｔ）はそれぞれ１２ａ、１２ｂ、１２ｃ、そして１２ｄとして図１で示される、コネクター｛屡々”ジャック（ｊａｃｋ）”として参照される｝を有する。北アメリカでは、アールジェイ（ＲＪ）−１１が普通使用される。各電話出口はそれぞれ１４ａ及び１４ｂとして図１（２つの電話ユニット１３ａ及び１３ｂ用に図解された）で示される、コネクター｛屡々”プラグ（ｐｌｕｇ）”として参照される｝を経由して電話ユニットに接続されてもよい。ライン５ａ、５ｂ、５ｃ、５ｄ、そして５ｅが同じ対の導体の電気的に異なるセグメント（ｓｅｇｍｅｎｔｓ）であることを注意することも重要である。
【０００５】
ネットワーク１０は、該配線が１つの出口から次の出口へのみ直列化される直列又はデイジーチェーン（ｄａｉｓｙ−ｃｈａｉｎｅｄ）トポロジーを表すが、スター（ｓｔａｒ）、ツリー（ｔｒｅｅ）又は何等かの任意のトポロジーの様な他のトポロジーも又使用されてよい。しかしながら、住宅内の該電話配線システムは常に、配線式媒体（ｗｉｒｅｄ ｍｅｄｉａ）すなわち２又は４本の銅線と、これらの配線に接続するための直接のアクセスを提供する出口（ｏｕｔｌｅｔ）と、から構成される。
【０００６】
［追加的加入者ライン（Ａｄｄｉｔｉｏｎａｌ Ｓｕｂｓｃｒｉｂｅｒ Ｌｉｎｅｓ）］
図２は家庭内での電話ネットワーク２０を図解するが、そこでは追加的加入者ライン１７ｂが現在のライン１７ａに追加されるよう要求されている。追加的ライン１７ｂは交換器１８から家庭用接続箱１６まで来る。追加的ライン１７ｂへのアクセスを提供するために、新しい出口１１ｅが設置されねばならない。加えて、接続箱１６から該出口１１ｅまでルート決めされた（ｒｏｕｔｅｄ）新電話ライン６ａが設置されねばならない。この様な設備（ｉｎｓｔａｌｌａｔｉｏｎ）で、電話セット１３ｃは、該追加された加入者ラインに、コネクター１４ｃと１２ｅを経由し、ケーブル１５ｃを使用して接続される。
【０００７】
代わりに、該新しい配線６ａは、同じ壁内のルート決め方を用いて、一緒にそして現在の配線５の１部として、ルート決めされ（ｒｏｕｔｅｄ）得る。この様な場合、幾つかの新しい電話出口が設置される必要があるか、又は現在の出口が、２つ以上の電話コネクターを使うものと置き換えられる必要があるか何れかである。
【０００８】
上記説明の両方の場合に、新しい配線が追加されねばならない。この様な配線のルート決めと設置（ｒｏｕｔｉｎｇ ａｎｄ ｉｎｓｔａｌｌａｔｉｏｎ）は共に労働集約的で、高価である。壁の外部上に新しい配線を追加することはより低廉であるが、美学的に望ましくない。
【０００９】
４本の線（２つの対）が設置された建物では、第２の加入者ラインを追加することは速く、容易である。現在の配線の第２の対は第２加入者ライン用に使用され、かくして追加的配線をルート決めする必要は解消する。しかしながら、この場合、第３又は第４の加入者ラインが必要とされる時、追加的配線を必要とする同じ問題に遭遇する。一般に、家庭へ新加入者ラインを追加することが現在の配線の容量を超える時は何時も追加的配線が必要となる。
【００１０】
図２は、該追加される加入者ラインが、各この様な追加された加入者ライン用に該交換器から該家庭までの専用の配線の使用を含む場合を図解する。しかしながら、新技術は多数の音声チャンネルが単一のツイステッドペア（ｔｗｉｓｔｅｄ−ｐａｉｒ）｛ローカルループ（ｌｏｃａｌ−ｌｏｏｐ）｝上で搬送されることを可能にする。特に、デジタル加入者線（Ｄｉｇｉｔａｌ Ｓｕｂｓｃｒｉｂｅｒ Ｌｉｎｅ）｛デーエスエル（ＤＳＬ）｝技術が利用可能である。例えば、アイエスデーエヌ−ビーアールエイ（ＩＳＤＮ−ＢＲＡ）｛サービス総合デジタル網−基本レートアクセス（Ｉｎｔｅｇｒａｔｅｄ Ｓｅｒｖｉｃｅｓ Ｄｉｇｉｔａｌ Ｎｅｔｗｏｒｋ−Ｂａｓｉｃ Ｒａｔｅ Ａｃｃｅｓｓ）、アイエスデーエヌとして普通引用される｝は単一のツイストペア上で２つの音声チャンネルを搬送することが出来て、エイチデーエスエル（ＨＤＳＬ）｛高ビットレートデジタル加入者線（Ｈｉｇｈ Ｂｉｔ ｒａｔｅ Ｄｉｇｉｔａｌ Ｓｕｂｓｃｒｉｂｅｒ Ｌｉｎｅ）｝は１６までの音声チャンネルをサポートし、そしてエイチーデーエスエル（ＨＤＳＬ）２は単一のツイストペア上で３０までの音声チャンネルをサポートする。これら及び他のこの様な技術は普通、図３のネットワーク３０で示す様に、該ツイステッドペアの各端部に接続された、２つのモデムを使用する。該ローカルループ内の該対１７はその交換器側で交換器ターミナルユニット３２とインターフエースし、該ユニットは該ケーブルの顧客側に配置された、遠隔ターミナルユニット３１へ該ローカルループ対上で通信する。遠隔ターミナルユニット３１は今度は接続箱１６に接続された、加入者ラインインターフエース１７ａと１７ｂを提供する。代わりの構成では、該音声チャンネルは、ピーシーエムハイウエイ（ＰＣＭ ｈｉｇｈｗａｙ）、エイテーエム（ＡＴＭ）又は他のバスの様なデジタルストリーム（ｄｉｇｉｔａｌ ｓｔｒｅａｍ）内で多重化される。
【００１１】
規制解消（ｄｅ−ｒｅｇｕｌａｔｉｏｎ）の方向への最近の動きは該加入者が従来の電話会社の他のプロバイダー（ｐｒｏｖｉｄｅｒｓ）から電話サービスを受けることを可能にした。１例は米国での手強いキャリアー（ｃｏｍｐｅｔｉｔｉｖｅ ｃａｒｒｉｅｒｓ）である。加えて、ケーブルテレビそして衛星ベースのネットワークプロバイダーの様な、非電話ビジネスが電話サービスを提供することを始めている。かくして、顧客は異なるサービスプロバイダーにより供給されるべき追加的加入者ラインを選択するかも知れない。図４は電話ネットワーク４０を使うこの様な顧客用の構成を図解する。第１の電話ラインは図１に示され、前に説明された様に、従来の電話会社により供給される。しかしながら、第２電話ラインはオリジナルでない電話プロバイダーにより提供され、それは非電話ネットワーク４１に接続される。例えば、これはケーブルテレビネットワーク（ｃａｂｌｅ ｔｅｌｅｖｉｓｉｏｎ ｎｅｔｗｏｒｋ）であることも出来る。該音声チャンネルは遠隔ターミナルユニット４２を経由して提供され、該ユニットは該追加的電話ライン６ａを提供し、そして該非電話ネットワーク４１と通信する。例えば、該遠隔ターミナルユニット４２はセットトップボックス（Ｓｅｔ−Ｔｏｐ Ｂｏｘ）又はケーブルモデム（Ｃａｂｌｅ Ｍｏｄｅｍ）の部分とすることが出来る。
【００１２】
［交換器の特徴（Ｅｘｃｈａｎｇｅ Ｆｅａｔｕｒｅｓ）］
ここで使用される時、用語（ｐｈｒａｓｅ）”ピーエイビーエックス型特徴（ＰＡＢＸ−ｔｙｐｅ ｆｅａｔｕｒｅｓ）”、又はその熟語的等化物は、これに限定されないが、ホールド／コールピックアップ（ｈｏｌｄ／ｃａｌｌ ｐｉｃｋ ｕｐ）、サブセット間コール転送（ｃａｌｌ ｔｒａｎｓｆｅｒ ｂｅｔｗｅｅｎ ｓｕｂｓｅｔｓ）、コンフエランスコール（ｃｏｎｆｅｒｅｎｃｅ ｃａｌｌｓ）、コールカミングフラムオアゴーイングツー（ｃａｌｌ ｃｏｍｉｎｇ ｆｒｏｍ， ｏｒ ｇｏｉｎｇ ｔｏ）、中央オフイス交換（ｃｅｎｔｒａｌ ｏｆｆｉｃｅ ｅｘｃｈａｎｇｅ）、オールサブセットでのリンギング（ｒｉｎｇｉｎｇ ｏｎ ａｌｌ ｓｕｂｓｅｔｓ） 、レパートリーダイアリング（ｒｅｐｅｒｔｏｒｙ ｄｉａｌｉｎｇ）、メモリーダイアリング（ｍｅｍｏｒｙ ｄｉａｌｉｎｇ）を有する特徴を備える。電話通信に関する一層成長しつつある数のニーヅを充たすために住宅志向の電話システム及び機器の急速な膨張が繰り広げられて来た。多くの住宅での１つの特定的ニーヅは、該住宅にアクセスする単一の中央オフイス電話ラインを経由してその全てが接続される多数の電話セットの中で選択的に通信する能力である。加えて、住宅の加入者の他の識別されたニーヅは構内自動電話交換システム（ｐｒｉｖａｔｅ ａｕｔｏｍａｔｉｃ ｂｒａｎｃｈ ｅｘｃｈａｎｇｅ）｛ピーエイビーエックス（ＰＡＢＸ）｝を有するビジネスのそれらと同様である。しかしながら、大抵のこの様な現在の交換器は、全ての出口が該交換器と直接接続される’スター’トポロジーを要する。このトポロジーは幾つかの住宅ではサポートされるが、図１の例が図解する様に、大抵の建物はこの様なトポロジーを使っていない。この様な場合。構内自動電話交換システムは、該配線を’スター’トポロジーに修正する努力がなされないなら、容易には使用出来ない。米国特許第４、８２１、３１９号、第４、４５９、４３４号、第５、０９０、０５２号、第５、５９６、６３１号、第５、７８１、６２２号そして第６、０３８、３００号のみならず米国クラス３７９／１７７及び３７９／３６３に分類される他の特許も、単一の線の対を使用して住宅内で限られた交換機能を可能にする僅かの実施例しか開示していない。
【００１３】
［電話ライン上のデータ］
電話及びデータネットワーク化の両用に現在の電話インフラストラクチャーを同時に使用する要求がある。この仕方で、家庭又は他の建物内の新しいローカルエリアネットワークを確立するタスクは簡単化されるが、それは設置すべき追加配線が無いからである。クレーン（Ｃｒａｎｅ）への米国特許第４、７６６、４０２号｛以降”クレーン（Ｃｒａｎｅ）”と引用される｝は２本線の電話ライン上でラン（ＬＡＮ）を形成する方法を開示しているが、電話サービスは無い。
【００１４】
周波数領域／分割多重化（ｆｒｅｑｕｅｎｃｙ ｄｏｍａｉｎ ／ ｄｉｖｉｓｉｏｎ ｍｕｌｔｉｐｌｅｘｉｎｇ）｛エフデーエムＦＤＭ）｝の概念は当該技術で公知であり、線により運ばれるバンド幅を、アナログ電話通信信号を搬送することが出来る低い周波数バンド（ｌｏｗ−ｆｒｅｑｕｅｎｃｙ ｂａｎｄ）と、データ通信又は他の信号を搬送することが出来る高い周波数バンド（ｈｉｇｈ−ｆｒｅｑｕｅｎｃｙ ｂａｎｄ）とに分割する手段を提供する。この様な機構は、例えば、ライヒエルト他（Ｒｅｉｃｈｅｒｔ ｅｔ ａｌ）への米国特許第４、７８５、４４８号｛以下”ライヒエルト（Ｒｅｉｃｈｅｒｔ）”と引用する｝で説明されている。又エックスデーエスエル（ｘＤＳＬ）システム、主として非対称デジタル加入者ループ（Ａｓｙｍｍｅｔｒｉｃ Ｄｉｇｉｔａｌ Ｓｕｂｓｃｒｉｂｅｒ Ｌｏｏｐ）｛エイデーエスエル（ＡＤＳＬ）｝システムが広く使われている。
【００１５】
もう１つの例として、この分野の関連従来技術はデイヒター（Ｄｉｃｈｔｅｒ）への米国特許第５、８９６、４４３号｛以降”デイヒター（Ｄｉｃｈｔｅｒ）”として引用される｝で開示されている。デイヒターは電話とデータ通信信号を同時に搬送することを可能にする住宅電話配線用に周波数領域／分割多重化｛エフデーエム（ＦＤＭ）｝技術を適用する方法と装置を示唆している。該配線により可能化されるバンド幅はアナログ電話通信信号を搬送することが出来る低い周波数バンドと、データ通信信号を搬送することが出来る高い周波数バンドとに分割される。この様な機構では、電話サービスは影響されず、一方データ通信能力は家庭内の現在の電話配線上で提供される。
【００１６】
該デイヒターのネットワークは図５に図解されるが、それは電話と、データユニットのローカルエリアネットワークを提供することと、両方に役立つネットワーク５０を示す。データ端末装置（Ｄａｔａ Ｔｅｒｍｉｎａｌ Ｅｑｕｉｐｍｅｎｔ）｛デーテーイー（ＤＴＥ）｝ユニット２４ａ、２４ｂ、そして２４ｃはそれぞれデータ通信装置（Ｄａｔａ Ｃｏｍｍｕｎｉｃａｔｉｏｎ Ｅｑｕｉｐｍｅｎｔ）｛デーシーイー（ＤＣＥ）｝ユニット２３ａ、２３ｂ、そして２３ｃ経由で該ローカルエリアネットワークへ接続される。データ通信装置の例はモデム（ｍｏｄｅｍｓ）、ラインドライバー（ｌｉｎｅ ｄｒｉｖｅｒｓ）、ラインレシーバー（ｌｉｎｅ ｒｅｃｅｉｖｅｒｓ）、そしてトランシーバー（ｔｒａｎｓｃｅｉｖｅｒｓ）を含む（ここで使用される該用語”トランシーバー”は組み合わされた送信器と受信器を示す）。デーシーイーユニット２３ａ、２３ｂ、そして２３ｃはそれぞれ高域フィルタ（ｈｉｇｈ ｐａｓｓ ｆｉｌｔｅｒｓ）｛エイチピーエフ（ＨＰＦ）｝２２ａ、２２ｂ、そして２２ｃに接続される。該エイチピーエフエスは該デーシーイーユニットが電話ライン５により搬送される該高い周波数のバンド（ｈｉｇｈ−ｆｒｅｑｕｅｎｃｙ ｂａｎｄ）にアクセスすることを可能にする。第１の実施例（図５には示されない）では、電話１３ａ、１３ｂ、そして１３ｃはそれぞれコネクター１４ａ、１４ｂ、そして１４ｃを経由して電話ライン５に直接接続される。しかしながら、該電話により引き起こされる該データネットワークへの干渉を避けるために、第２の実施例（図５に示す）では、電話１３ａ、１３ｂ、そして１３ｃに電話線５から低域フィルタ（ｌｏｗ ｐａｓｓ ｆｉｌｔｅｒ）｛エルピーエフエス（ＬＰＦ’ｓ）｝２１ａ、２１ｂ、そして２１ｃが付加される。更に、該ピーエステーエヌ配線１７から又はそれへ誘導されるノイズを濾過するために、低域フィルタが又接続箱１６に接続される。ライン５ａ、５ｂ、５ｃ、５ｄ、そして５ｅは同じ対の導体の電気的に異なるセグメントであることに注意することが重要である。
【００１７】
この分野での追加的な従来技術の特許は米国クラス３７９／０９３．０８で見出し得るが、それは電話配線（例えば、線及び出口）に何等変型を加えずに該電話配線上でデータを搬送することに関する。本発明者への米国特許第５、８４１、３６０号及び米国特許出願第０９／１２３，４８６号及び第０９／３５７、３７９号は電話配線を、その各々が２つの電話出口に接続する別個のセグメントに該配線を分割することにより、変型させることを示唆した最初のものである。この方法で、該ネットワークは’バス’トポロジーから、より優れた通信性能を可能にする多数の’ポイントツーポイント（ｐｏｉｎｔ−ｔｏ−ｐｏｉｎｔ）’セグメントに変型される。
【００１８】
この様なネットワーク６０の部分が図６で示され、図１の出口１１を取り換える、出口３１ａ及び３１ｂを記述している。該電話配線５は別個のセグメント５ａ、５ｂそして５ｃに分割される。低域フイルター（エルピーエフ）及び高域フイルター（エイチピーエフ）は、電話通信とデータ信号の間を分割するために、各配線セグメント端部に接続される。図６で示す様にエルピーエフエス２１ｂ及び２１ｃはそれぞれ配線セグメント５ｂの相対する端部に取付られる。該エルピーエフエスは該電話通信信号の通過を可能にするよう設計され、そして一緒に接続され、かくして該電話通信信号用の連続通路を提供する。該電話通信信号へのアクセスは出口内のコネクター１２ａと１２ｂを経由して行われ、該コネクターへは電話デバイス１３ａと１３ｂがそれぞれコネクター１４ａと１４ｂを経由して接続される。かくして電話通信サービスは完全に保持される。スペクトラムの高い部分で搬送されるデータ信号は該電話線セグメント５ｂの相対する端部にもそれぞれ接続された、エイチピーエフエス２２ｂと２２ｃを経由してアクセスされる。エイチピーエフエス２２ａと２２ｄはそれぞれ該線セグメント５ａと５ｃの該端部に接続される。各エイチピーエフは、該電話配線上でデータ信号を送、受信するモデム２３に接続される。モデム２３ａ、２３ｂ、２３ｃそして２３ｄはそれぞれエイチピーエフエス２２ａ、２２ｂ、２２ｃそして２２ｄに接続される。データユニット２４ａと２４ｂは各出口内のそれぞれのコネクター（図中には示されてない）を経由して、それぞれ出口３１ａと３１ｂに接続される。該データユニットは該出口内のそれぞれのデーテーイーインターフエースを経由して接続される。出口３１ａと３１ｂはそれぞれデーテーイーインターフエース２９ａと２９ｂを有する。各モデムからの２つと該デーテーイーからの１つの、各出口内の３つのデータストリーム（ｄａｔａ ｓｔｒｅａｍｓ）はアダプター２８ａとアダプター２８ｂにより扱われるが、該アダプターはそれぞれ出口３１ａと３１ｂに役立つ。図６は関連する機能用の全ての部品が出口内に収容された実施例を説明しているが、これらの機能用部品のいくつかだけが該出口内に収容された他の実施例も又あり得る。
【００１９】
［ライフライン（Ｌｉｆｅ−Ｌｉｎｅ）］
ここで使用される用語”ライフライン”は緊急目的用への電話サービスの基本的使用を指す。この様であるから、何等かの他のシステム又はサービス（例えば、電気）の不調が該電話システム能力を劣化（ｄｅｇｒａｄｅ）させないことが必要である。実際面で、これは動作する電話セットが連続する２本線を経由して交換器に接続されている限り、例え電力消失（ｐｏｗｅｒ ｏｕｔａｇｅ）の場合でも、該電話サービスは保持されることを意味する。
”加入者ライン多重化装置（Ｓｕｂｓｃｒｉｂｅｒ Ｌｉｎｅ Ｍｕｌｔｉｐｌｅｘｅｒ）”の名称で、１９９７年５月２９日に刊行されたデピュー（Ｄｅｐｕｅ）へのＷＯ第９７１９５３３号は、単一の従来の２本導体電話線によりサービスされる建物の内部の場所で同時発生的に利用される、例えば、アナログ電話、フアクシミリ、そしてアナログコンピユータモデムデバイスの様な、何等かの標準的アナログターミナル加入者電話機器の接続用システムを説明している。マスター（ｍａｓｔｅｒ）加入者ライン多重化装置ユニットは該電話サービスプロバイダーの２本導体アナログ電話加入者線の取付部に最も近い場所に配置される。該マスターユニット（ｍａｓｔｅｒ ｕｎｉｔ）の入力は該電話サービスプロバイダーの２本導体アナログ加入者ラインの２つである。制御、音声及びデータ信号は次いで多重化され、内部の従来の２本導体電話加入者線上で遠隔場所サービスへ伝送される。
この様なシステムは多数の電話ラインが該標準的２本線電話配線を経由して建物内のそれぞれの電話デバイスへ運ばれることを可能にする。ＷＯ第９７１９５３３に説明される該システムは、入って来るコール（ｃａｌｌ）をインターセプト（ｉｎｔｅｒｃｅｐｔ）するよう動作し、該コールされたラインが利用可能かどうかを決定するためにスレーブユニット（ｓｌａｖｅ ｕｎｉｔ）に合図し、そして、もし該スレーブユニットによりその様に知らされたら、該入って来るコールを該中央オフイスから該適当なターミナル加入者ユニットへ運ぶよう該ラインを捕らえる、マスターユニット（ｍａｓｔｅｒ ｕｎｉｔ）を要する。そうすることで該スレーブユニットは該ターミナル加入者ユニットへの（元は該マスターユニットにより検出された）該リング信号（ｒｉｎｇ ｓｉｇｎａｌ）を複製する。該ターミナル加入者ユニットにより発生される、出て行くコール（Ｏｕｔｇｏｉｎｇ ｃａｌｌ）は相補的な仕方で望まれる外部ターミナルへルート決めされる。
多数の外部ラインと多数のターミナル加入者ユニットの間で同時に１つより多くのコールが如何にルート決めされるかについては説明がない。しかし、どんな場合でも、ＷＯ９７１９５３３はなお、多数のラインが、図１のライン１，ライン２．．．ラインｎで示される、別々の接続部を経由して該スレーブユニットへルート決めされるよう要求する。かくして、現存した儘でいる該予め存在する配線のみが該マスターユニット１８と該スレーブユニット３４とを相互接続する２４と２６で示される線の対である。該マスター及びスレーブユニットは該マスターユニットに供給されるＮラインを該スレーブユニットの出力にある同数のＮラインへ該予め存在する配線設備（ｗｉｒｉｎｇ ｉｎｓｔａｌｌａｔｉｏｎ）を経由して多重化するため役立つ。ＷＯ９７１９５３３は多数の入って来るラインをより少ない数の電話出口へスイッチする用意はしない。
この様な機器の設置に浪費が禁じられる家庭及び小オフイスのシステムの様な多くの応用品がある。この様なシステムは、例えば、各々がそれぞれの電話出口を経由して、現在の２線式のインフラストラクチャーを介して幾つかの電話エクステンション、コンピユータそしてフアックス機械がルート決めされる小オフイスを含む。この様な場合、該電話出口、典型的にはアールジェイ（ＲＪ）−１１標準ジャックは全て、デイジーチェーンか又はスター構成か何れかで同じ２線式対（ｔｗｏ−ｗｉｒｅ ｐａｉｒ）に接続される。
【００２０】
かくして家庭内に追加的線の設置の必要なく、電話ユニットが該家庭内でのみならず多数の外部加入者ラインへもネットワーク化され得る家庭内電話システムを実施する手段、の広く認識されたニーヅがあり、そして該手段を持つことは非常に有利である。この目標は本発明により成し遂げられる。
【発明の概要】
【課題を解決するための手段】
【００２１】
本発明は単一の電話ライン上にあり建物内にある改良された電話システムを開示する。該建物内の該電話ラインはテーデーエム（ＴＤＭ）｛時間領域多重化（Ｔｉｍｅ Ｄｏｍａｉｎ ｍｕｌｔｉｐｌｅｘｉｎｇ）｝方式で多数の音声チャンネルを搬送する通信ネットワーク用媒体として使用される。新しい配線か又は予め存在する電話ラインが使用されてもよい。各出口（ｏｕｔｌｅｔ）では、１つ以上のデータ音声チャンネル（ｄａｔａ ｖｏｉｃｅ ｃｈａｎｎｅｌ）
から１つの標準的アナログ電話信号（ｓｔａｎｄａｒｄ ａｎａｌｏｇ ｔｅｌｅｐｈｏｎｅ ｓｉｇｎａｌ）｛ピーオーテーエス（ＰＯＴＳ）｝へ、そしてその逆へと、の両者間の変換がモジュールにより行われる。前記説明の交換器の特徴が該出口間で該音声チャンネルをデジタル的にルート決めすることにより実現される。外部電話フイーダー（電話サービスプロバイダーの中央局と該建物内の該線の間の接続部）からの信号も又モジュールによりデジタル化され、該通信ネットワーク内へルート決めされ（ｒｏｕｔｅｄ）得る。この方法で、標準的アナログ電話機器とそれからの信号は該モジュールとインターフエースされ、単一の電話ライン上の多数音声チャンネルネットワーク内で使用され得る。
【００２２】
２種類の通信ネットワークがサポートされる。第１の構成では、該電話配線は典型的連続配置で保持され、それによりバス型ネットワークを形成し、そこでは各出口内の該モジュールは１つの電話ラインモデムを有する。該第２の構成では、該電話ラインは各出口で切られ、各線端に電話ラインモデムが接続され、それにより接続された出口の各対間でポイントツーポイント通信セグメントを形成する。
【００２３】
該電話ラインを該電話インターフエースに接続する該モジュール、又は該モジュールの部品の何れか、は該出口内に完全に集積化されるか、該出口内に部分的に集積化されるか、又は外部的に構成され得る。
【００２４】
利用可能なラインバンド幅を低いバンドと高いバンドに分離するため受動的フイルターを使用することによりライフライン機能が実現される。該高いバンドは該多数音声チャンネル通信ネットワークにより使用される一方、該低いバンドは、何等能動的部品を使用することなく標準的アナログ電話サービスを担うために使用される。この様な場合、各出口はライフライン電話インターフエースと、該通信ネットワークにより搬送される音声チャンネル用の１つ以上の電話インターフエースと、を含んでもよい。
【００２５】
従って、本発明は建物内の配線設備に接続するための加入者モジュール（ｓｕｂｓｃｒｉｂｅｒ ｍｏｄｕｌｅ）を提供するが、前記配線設備は少なくとも２本の導体を有しそしてデジタルデータを搬送しており、前記デジタルデータは少なくとも１つの時間領域多重化されデジタル化された音声チャンネルを有しており、前記加入者モジュールは、
該加入者モジュールを前記配線設備の該少なくとも２本の導体に接続するための少なくとも１つのポートと、
該デジタルデータとインターフエースするために各々が該少なくとも１つのポートに接続された少なくとも１つのそれぞれの電話ラインモデムと、
該デジタルデータから１つ以上のデジタル化された音声チャンネルを選択するために該少なくとも１つの電話ラインモデムに接続された多重化装置と、
各々が、それぞれのデジタル化された音声チャンネル出力を該多重化装置によりそれぞれの電話信号に変換するために該多重化装置に接続された少なくとも１つの加入者ラインインターフエースと、そして
電話デバイスに接続するために、各々がそれぞれの電話信号に接続された少なくとも１つの電話ポートとを具備しており、
該多重化装置は、該デジタルデータ内の該時間領域多重化音声チャンネルの全てが該加入者モジュール内の対応する電話ポートへルート決めされることを要せずに、１つ以上のデジタル化された音声チャンネルと１つ以上の電話ポートの間でスイッチすることを特徴とする。
更に本発明に依れば、建物内の配線設備に基づく電話通信システムが提供され、前記配線設備はデジタルデータを搬送する少なくとも２本の導体を有しており、前記デジタルデータは少なくとも１つの時間領域多重化されデジタル化された音声チャンネルを有しており、前記電話通信システムは、
各々がアナログ電話信号を搬送する、電話サービスプロバイダーからの１つ以上の電話加入者ライン間に接続された交換器側ユニット（ｅｘｃｈａｎｇｅ ｓｉｄｅ ｕｎｉｔ）を具備しており、該交換器側ユニットは該アナログ電話信号を該デジタルデータに変換するよう動作しており、
少なくとも１つの加入者モジュールが前記配線設備と、電話デバイスを接続するための少なくとも１つの電話出口と、の間に接続されており、そして
該少なくとも１つの加入者モジュールの各々は、該デジタルデータ内の該時間領域多重化音声チャンネルの全てが該加入者モジュール内の対応する電話ポートへルート決めされることを要せずに、１つ以上のデジタル化された音声チャンネルと１つ以上の電話ポートの間をスイッチする多重化装置を有することを特徴とする。
更に、本発明に依れば、該配線設備の変型又は拡張を要せずに音声チャンネルが前記配線上で追加的に搬送されることを可能にするよう建物内の現在の配線設備をアップグレードする方法のためのキットが提供され、前記音声チャンネルはデジタル化され、時間領域多重化を用いて該配線上で運ばれ、該方法は、
（ａ）前記少なくとも１つの電話加入者ライン信号を該配線上で搬送されるそれぞれのデジタル化された時間領域多重化チャンネルに変換するために、前記配線と少なくとも１つの電話加入者ラインの間に交換器モジュールを接続する過程と、
（ｂ）使用時該加入者モジュールの各々が該配線上で運ばれる１つ以上のデジタル化された時間領域多重化チャンネルを少なくとも１つの電話信号に変換するために、前記配線と、それに電話デバイスを接続するよう動作する少なくとも１つの電話出口と、の間の各間に、１つ以上の加入者モジュールを接続する過程とを具備しており、
該デジタルデータ内の該時間領域多重化音声チャンネルの全てが該加入者モジュール内の対応する電話ポートへルート決めされることを要せずに、１つ以上のデジタル化された音声チャンネルと１つ以上の電話ポートとの間をスイッチする多重化装置を該加入者モジュールの各々内に提供することを特徴とする。
【図面の簡単な説明】
【００２６】
【図１】住宅又は他の建物用の普通の従来技術の電話ライン配線構成を示す。
【図２】住宅又は他の建物用の従来技術の２ライン電話配線構成を示す。
【図３】多数ラインを住宅又は他の建物へ提供するための第１の従来技術の電話ネットワークを示す。
【図４】多数ラインを住宅又は他の建物へ提供するための第２の従来技術の電話ネットワークを示す。
【図５】住宅又は他の建物用電話ライン配線に基づく第１の従来技術のローカルエリアネットワークを示す。
【図６】住宅又は他の建物用電話ライン配線に基づく第２の従来技術のローカルエリアネットワークの部分を示す。
【図７】本発明の第１の実施例のモジュールを示す。
【図８】本発明の第１の実施例の電話ネットワークを示す。
【図９】ライフライン能力をサポートする、本発明の該第１の実施例のモジュールを示す。
【図１０】又ライフライン能力をサポートする、本発明の第１の実施例の電話ネットワークを示す。
【図１１】ライフライン能力をサポートする、本発明の第２の実施例のモジュールを示す。
【図１２】又ライフライン能力をサポートする、本発明の該第２の実施例の電話ネットワークを示す。
【図１３】本発明のシステムをサポートするために現在の電話設備をアップグレードするためのキットを示す。
【発明を実施するための形態】
【００２７】
［発明の詳細な記述］
本発明は、単なる例により、付随する図面を参照して、説明される。
本発明のネットワークの原理と動作は図面と付随する説明を参照して理解されてもよい。該図面と説明は単に概念的なものである。現実の実施では、単一部品が１つ以上の機能を実施することも出来るが、代わりに、各機能が複数の部品と回路により実施されることも出来る。該図面と説明では、種々の実施例又は構成に共通な部品を同一参照番号で示している。
【００２８】
本発明の第１の実施例は、標準的電話セットを該電話ライン上のデータ通信ネットワークへ接続可能にするアダプターモジュール（以降”加入者モジュール”と称する）に基づく。図７はモジュール７０の機能を図解する。モジュール７０は２つのポートを有するが、１つは該電話ラインへの接続用であり、もう１つは１つ以上の電話セットへの接続用である。該モジュールは電話ラインモデム２３により該電話ライン上の該データ通信ネットワークにインターフエースするが、該モデムはデイヒターネットワーク（Ｄｉｃｈｔｅｒ ｎｅｔｗｏｒｋ）５０（図５）に於ける様にデーシーイー（ＤＣＥ）２３ａを使用出来る。該データ通信ネットワークは多数のデジタル化された｛例えば、ピーシーエム（ＰＣＭ）｝音声チャンネルを搬送する。ドロップアンドインサート多重化装置（ｄｒｏｐ−ａｎｄ−ｉｎｓｅｒｔ ｍｕｌｔｉｐｌｅｘｅｒ）７１は該データ通信ネットワーク内のデジタルデータストリームへ音声チャンネルを設置すると共に該ストリームから該チャンネルを抽出する。モジュール７０により取り扱われるべき該音声チャンネルは論理、制御及びピービーエックスユニット（ｌｏｇｉｃ， ｃｏｎｔｒｏｌ ａｎｄ ＰＢＸ ｕｎｉｔ）７３により管理される。各音声チャンネルは加入者ラインインターフエース７２ａを介して単一電話（ピーオーテーエス）インターフエースに変換されるが、該加入者ラインインターフエースは該デジタル音声チャンネルストリームを、コネクター１２を経由して標準的電話セットに接続出来る、アナログインターフエースに変換する。該モジュール７０に接続されるべき第２電話を実現するために、追加的加入者ラインインターフエース７２ｂが追加され、多重化装置７１に、そして該論理、制御及びピービーエックスユニット７３へ接続される。加入者ラインインターフエース７２ｂは追加の別個の音声チャンネルを取り扱う。追加的電話セットはコネクター１５を介して加入者ラインインターフエース７２ｂへ接続出来る。該モジュール７０は、それぞれ加入者ラインインターフエース７２ａ及び７２ｂへの、コネクター１２及び１５を経由して２ラインサポートを有すると説明されるが、同じ配置は、加入者ライン７２ｂとコネクター１５が省略される単一ラインインターフエースにも適用される。モジュール７０は、各この様な追加的インターフエースが追加的加入者ライン及びコネクターのみならずドロップアンドインサート多重化装置７１によるそれぞれのサポートをも要する、２つより多いこの様なインターフエースをサポート出来ることも明らかである。
【００２９】
又モジュール７０は追加的ロジック、制御、処理、データ記憶、そして電源を含んでもよい。ユニット７３により扱われる、論理、制御及びピービーエックス能力の様な能力を除けば、この様な追加的機能は図７に示されない他の部品により行われる。
【００３０】
本発明のネットワークの第１の実施例は該デイヒターネットワークに基づく。図８はネットワーク８０を図解するが、モジュール７０（図７）の様な、モジュールに基づいており、そこでは各モジュールは単一電話セットがコネクター１２を介してインターフエースすることを可能にする。各この様なモジュール７０は出口８８ａ、８８ｂ、８８ｃ、そして８８ｄの様な電話出口内に完全に収容され、集積化されるが、該出口では電話ラインモデム２３は該出口の電話ラインポートに接続され、そして該電話コネクターは該電話セットに接続される。
【００３１】
図８で示される様に、データ通信ネットワークは、各出口（出口８８ａ、８８ｂ、８８ｃ、そして８８ｄの様な）内の該電話ラインモデム（電話ラインモデム２３の様な）が、電話ライン５ａ、５ｂ、５ｃ、５ｄ、そして５ｅを該ネットワーク媒体として使用して、該出口からのそして該出口間の（ｂｅｔｗｅｅｎ ａｎｄ ａｍｏｎｇ ｔｈｅ ｏｕｔｌｅｔｓ）ネットワーク化を可能にするように、形成される。かくして、電話１３ａ及び１３ｂは該データ通信ネットワーク上でそれら自身間｛例えば、インタコム（ｉｎｔｅｒｃｏｍ）の様な使用のために｝で通信出来る。外部電話ネットワークへの接続を実現するために、モジュール８５が追加されねばならない。モジュール８５は該外部電話ラインを該電話ライン上で家庭内データ通信ネットワーク（ｉｎ−ｈｏｍｅ ｄａｔａ ｃｏｍｍｕｎｉｃａｔｉｏｎ ｎｅｔｗｏｒｋ）へブリッジする。ネットワーク８０は線の対（ｗｉｒｅ ｐａｉｒｓ）８６ａと８６ｂを経由して２つの外部電話ラインにインターフエースするが、該線の対は図２で示すピーエステーエヌネットワークの、又は前記説明の他の外部源からの部分とすることが出来る。外部ライン８６ａと８６ｂはそれぞれ交換器ラインインターフエース８１ａと８１ｂによりデジタルストリームに変換される。該音声チャンネルは、該デジタルの多重化されたデータストリームへ挿入するか又はそれから抽出する、ドロップアンドインサート多重化装置に接続される。該多重化されたデータストリームは電話ラインモデム８３に接続され、該モデムはケーブル８４を経由して該家庭内データネットワークと通信する。
【００３２】
ネットワーク８０は２つの外部フイーダー８６ａと８６ｂを有して説明されたが、単一のこの様なフイーダーも又使用され得ることは明らかである。例えば、もしライン８６ａのみが使用されるならば、交換器ラインインターフエース８１ｂは不要である。代わって、２つより多いこの様な外部フイーダーが使用出来る。各追加的フイーダー用に、該ドロップアンドインサート多重化装置８２の追加的サポート能力と共に、追加的交換器ラインインターフエースが供給されねばならない。
【００３３】
住宅内での該ネットワーク８０の実施は、出口１１ａ（図１）の様な、電話出口を、各々がモジュール７０（図７）の様なモジュールを有する、出口８８ａ（図８）の様な、本発明の出口により置き換えることを要する。この場合、該ラインセグメント５ａ、５ｂ、５ｃ、５ｄ、そして５ｅは各々該電話ラインモデムに接続された図７に示す単一のツイステッドペアに対応し、該出口８８ａ、８８ｂ、８８ｃ、そして８８ｄはバストポロジーを使用して該ラインセグメントに接続される。加えて、モジュール８５の様なモジュールも又該接続箱１６の近くに設置されねばならない。しかしながら、該建物内に新しいラインは設置又はルート決めされる必要はない。住宅内に該ネットワーク８０を設置後、該交換器特徴と２つ以上の外部電話ラインとインターフエースする能力との両者が利用可能である。
【００３４】
モジュール７０とモジュール８５の両者は能動部品を有する。かくして、電力消失（ｐｏｗｅｒ ｌｏｓｓ）又は部品の何れかでの不調（ｍａｌｆｕｎｃｔｉｏｎ）の場合は、該ネットワーク８０は電話通信サービスを提供することに失敗するかも知れない。従って、’ライフライン’能力をサポートするために該モジュールは追加的部品を要する。図９はライフライン能力を提供する変型されたモジュール９０を図解する。高域フイルター（エイチピーエフ）２２と低域フイルター（エルピーエフ）２１は、デイヒターにより説明された様に、電話スペクトラムを標準的アナログ信号を搬送する低いバンドとデータ通信ネットワーク用の高いバンドに分割する。エルピーエフ２１は受動部品のみを使用し、そしてコネクター９１に直接接続される。従って、該コネクター９１にプラグされた電話セットは、該信号路内に何等能動部品が含まれることなく、’ライフライン’機能を提供出来る。モジュール９０は該ライフラインコネクター９１のみを特徴とするか、又は該コネクター１２及び１５に加えて該ライフラインコネクター９１を有してもよい。代わりに、本発明の他の実施例では、モジュールは’ライフライン’接続部９１を全く使わなくてもよい。
【００３５】
図１０は本発明の第１の実施例のネットワーク１００を図解し、ライフライン機能をサポートする変型されたネットワークを特徴とする。ネットワーク１００はそれぞれ出口１０５ａ、１０５ｂ、１０５ｃ、そして１０５ｄ内に集積化されたモジュール９０ａ、９０ｂ、９０ｃ、そして９０ｄを有する。出口１０５内に集積化された、該モジュール９０は該図内には特に示されてないことを注意しておく。ここでも又、ラインセグメント５ａ、５ｂ、５ｃ、５ｄ、そして５ｅは各々図９で示され、該低域フイルター２１と該高域フイルター２２との接合部（ｊｕｎｃｔｉｏｎ）に接続された単一ツイステッドペアに対応しており、該出口１０５ａ、１０５ｂ、１０５ｃそして１０５ｄはバストポロジーを使用して該ラインセグメントに接続される。出口１０５ａ、１０５ｃ、そして１０５ｄはそれぞれコネクター１２ａ、１２ｃそして１２ｄを有するが、該コネクターは該データ通信ネットワークにより搬送される音声信号に基づいて電話通信インターフエースをサポートする。しかしながら、出口１０５ｂは又図９で示す様なライフライン接続を提供するコネクター９１を有する。該スペクトラムの低いバンドは、エルピーエフ２１を経由して該家庭内ネットワークに接続された電話ライン１７からのピーオーテーエス信号を搬送する。従って、電話セット１３ｂはライン１７に直接接続され、それによりライフラインサービスを提供する。該スペクトラムの高いバンドは該データ通信ネットワーク用に使用され、エイチピーエフ２２を経由して外部に接続される。エルピーエフ２１とエイチピーエフ２２の両者はケーブル１０２により接続箱１６に接続される。外部ラインインターフエースに役立つ全ての部品はモジュジュール１０１内に含まれる。本発明のもう１つの実施例では、各出口（出口１０５ａ、１０５ｂ、１０５ｃ、そして１０５ｄの様な）は、該住宅内の全ての出口でライフラインアクセスが利用可能なように、少なくとも１つの電話インターフエース１２に加えてライフラインインターフエース９１を提供する。
【００３６】
図１０はモジュール９０が該出口１０５内に完全に集積化される場合を図解するが、本発明の実施例は又該モジュールが該出口の外にある場合も含む。同様に、他の部品は外部に留まるが、モジュールの選択された部品が該出口内に集積化されてもよい。全ての場合、勿論、該モジュールと該出口の間の適当な電気的及び機械的結合が必要である。
【００３７】
本発明の出口は寸法、形状、及び全体的外観で標準的出口と物理的に似ているので、この様な出口は建物の壁内で標準的出口と交換されることが出来る。全体的電話ラインレイアウト又は構成で何の変更も要しない。
【００３８】
本発明がここまで、データ通信ネットワークがデイヒタートポロジーに基づく場合で説明されたが、本発明は、接続された出口の何れかの対の間でのポイントツーポイントデータ通信に基づく、図６に図解された、従来技術で配線されたネットワークトポロジーにも同様に良く適用され得る。図１１は、ライフラインの特徴と共に、この様なネットワークをサポートするモジュール１１０を図解する。一般的構成は図９で説明されたモジュール９０と同様である。しかしながら、該ポイントツーポイント構成の各電話ラインセグメントへの接続は高域フイルター（エイチピーエフ２２ａとエイチピーエフ２２ｂの様な）、低域フイルター（エルピーエフ２１ａとエルピーエフ２１ｂの様な）、そして専用電話ラインモデム（モデム２３ａとモデム２３ｂの様な）を有する。ドロップアンドインサート多重化装置１１１は音声チャンネルを電話ラインモデム２３ａと２３ｂにより扱われる両データストリーム内に挿入し、そしてそれから音声チャンネルを抽出する。しかしながら、該モジュールにより使用されなかった音声チャンネルは他のモジュールへ廻されるべきである。３つのラインセグメントが接続される場合に、追加的なこの様なセットが必要となる。該２つのエルピーエフエス２１ａと２１ｂは該スペクトラムの該低いバンドへの直接的アクセスを提供し、ライフラインコネクター９１に一緒に接続される。もしライフラインサポートが必要ないならば、コネクター９１のみならずフイルター２１ａ、２１ｂ、２２ａ、そして２２ｂは省略され得る。論理、制御、ピービーエックスそして電源の様な他の部品は図１１では示されていない。データ処理（ｄａｔａ ｈａｎｄｌｉｎｇ）及びプロトコル変換の様なタスクを管理するためにこの様な部品により追加的能力が提供されてもよい。
【００３９】
図１２はモジュール１１０を利用するネットワーク１２０を図解する。出口１１５ａ、１１５ｂ、１１５ｃ、そして１１５ｄの様な各出口は、モジュール１１０（図１１）の様なモジュールを有する。この場合、しかしながら、ラインセグメント５ａは、低域フイルター２１ａと高域フイルター２２ａの接合部に接続された、図１１に示すツイステッドペアに対応し、一方ラインセグメント５ｂは該低域フイルター２１ｂと高域フイルター２２ｂの接合部に接続された図１１に示すツイステッドペアに対応する。同様な仕方で、各々出口１１５ｂ、１１５ｃそして１１５ｄに接続された該ラインセグメント（５ｂ、５ｃ）、（５ｃ、５ｄ）、そして（５ｄ，５ｅ）はそれぞれ、図１１での該低域フイルター２１ａと高域フイルター２２ａの接合部と、低域フイルター２１ｂと高域フイルター２２ｂの接合部とにそれぞれ接続されたそれぞれのツイステッドペアに対応する。一般に、ネットワーク１００（図１０）のネットワーク構造が保持される。しかしながら、この構成では、該出口１１５ａ、１１５ｂ、１１５ｃそして１１５ｄはポイントツーポイント（又はデイジーチェーン）トポロジーを使用して該ラインセグメントに接続される。
【００４０】
［アップグレードキット（Ｕｐｇｒａｄｅ Ｋｉｔ）］
本発明は又ここに説明したネットワークをサポートするために現在の電話設備をアップグレードするためのキットを提供する。図１３は出口１３２及び出口１３４と設置取扱説明書（ｉｎｓｔａｌｌａｔｉｏｎ ｉｎｓｔｒｕｃｔｉｏｎｓ）とを含むこの様なキットの実施例を図解する。出口１３２は電話ラインに接続するための接続部（ｃｏｎｎｅｃｔｉｏｎ）１４４と、建物壁内に設置するためのフランジ１４６の様な設置ポイント（ｍｏｕｎｔｉｎｇ ｐｏｉｎｔｓ）を有する。又出口１３２はジャック１３８とジャック１４０とを有する。前者（Ｔｈｅ ｆｉｒｓｔ）はコネクター９１（図９）を経由してライフライン電話サービスをサポートし、一方後者は改良された交換器の特徴を伴った電話サービスを提供する。出口１３２内には図９と図１１で前に説明し、図解した本発明のモジュールがある。同様に、本発明の実施例で、ジャック１３８は電話ジャックである。もう１つの実施例で、ジャック１４０はデータジャックである。図１３で図解された該キットの実施例は２つの出口、出口１３２と出口１３４を有し、それらは実質的に同一として図解される。しかしながら、もう１つの実施例で、該キットは出口１３２のみを有する。種々の実施例では他の変型も起こり得る。前に説明されたモジュールに於ける様に、データ処理とプロトコル変換の様なタスクを管理するために追加的部品と能力が提供されてもよい。
【００４１】
本発明は又ここで説明されたネットワークをサポートするために建物内にラインを有する予め存在する電話設備をアップグレードする方法を提供する。該方法は、
（ａ）前記電話ラインモデムと、前記加入者ラインインターフエースと、そして前記ドロップアンドインサート多重化装置とを有する前記出口を提供する過程を具備している。
【００４２】
本発明のもう１つの実施例では、該現在の設備はライフライン通信をサポートするためにアップグレードされることが可能である。この様な場合に、下記の様な、すなわち、
（ｂ）多重化された音声チャンネル用のより高いバンドから標準的アナログ電話サービス用のより低いバンドを分離するために受動的な高域及び低域フイルターを提供する過程と、
（ｃ）該多重化された音声チャンネルから該標準アナログ電話サービスを分離するために該フイルターを接続する過程と、そして
（ｄ）該標準的アナログ電話サービスに標準電話セットを接続するためにコネクターを提供する過程との、追加的過程がある。
【００４３】
本発明は限定された数の実施例に関して説明されたが、本発明の、多くの変更、変型そして他の応用が行われることは評価されるであろう。
【００４４】
かくして、例えば、本発明が家庭の住宅内に設置されたネットワークを特に参照して説明されたが、何等この様な限定は意図されておらず、本発明がオフイス、工場等の様な非家庭的構内での使用に等しく応用可能であることは明らかであろう。
【符号の説明】
【００４５】
１２  コネクター
１５  コネクター
２３  電話ラインモデム
７０  モジュール
７１  ドロップアンドインサート多重化装置
７２ａ  加入者ラインインターフエース
７２ｂ  加入者ラインインターフエース
７３  ピービーエックスユニット
【図１】
2010104038.tif 000003
【図２】
2010104038.tif 000004
【図３】
2010104038.tif 000005
【図４】
2010104038.tif 000006
【図５】
2010104038.tif 000007
【図６】
2010104038.tif 000008
【図７】
2010104038.tif 000009
【図８】
2010104038.tif 000010
【図９】
2010104038.tif 000011
【図１０】
2010104038.tif 000012
【図１１】
2010104038.tif 000013
【図１２】
2010104038.tif 000014
【図１３】
2010104038.tif 000015